(57)【特許請求の範囲】
【請求項１】
情報記録媒体上から読み取った情報にエラーが有る場合には再読み取りを行う情報再生装置であって、
情報記録媒体上に情報の読み取りを行う読取手段と、
前記読取手段により読み取った情報におけるエラーの有無を検出するエラー検出手段と、
連続した読み取り位置において前記エラー検出手段によりエラーが検出された場合には、前記読取手段により再読み取りを行わせず、次の読み取り位置にて読み取りを行わせる読取制御手段と、
を備えたことを特徴とする情報再生装置。
【請求項２】
前記エラー検出手段により検出されたエラーの有無についての情報を記憶する記憶手段を更に備え、前記読取制御手段は、少なくとも前回の読み取り位置におけるエラーの有無についての情報を前記記憶手段に記憶させることを特徴とする請求項１記載の情報再生装置。
【請求項３】
前記読取制御手段は、少なくとも前回の読み取り位置にてエラーが無かった時は、エラーが無かったことを前記記憶手段に記憶させることを特徴とする請求項１記載の情報再生装置。
【請求項４】
情報記録媒体に記録を行った際に正常な記録を行うことができなかった場合には、再記録を行う情報記録装置であって、
情報記録媒体に情報の記録を行う記録手段と、
正常な記録を行うことができなかった時にはエラー有りの検出を行い、正常な記録を行うことができた時にはエラー無しの検出を行うエラー検出手段と、
連続した記録位置において前記エラー検出手段によりエラーが検出された場合には、前記記録手段により再記録を行わせず、次の記録位置にて記録を行わせる記録制御手段と、
を備えたことを特徴とする情報記録装置。
【請求項５】
前記エラー検出手段により検出されたエラーの有無についての情報を記憶する記憶手段を更に備え、前記記録制御手段は、少なくとも前回の記録位置におけるエラーの有無についての情報を前記記憶手段に記憶させることを特徴とする請求項４記載の情報記録装置。
【請求項６】
前記記録制御手段は、少なくとも前回の記録位置にてエラーが無かった時は、エラーが無かったことを前記記憶手段に記憶させることを特徴とする請求項４記載の情報記録装置。
【発明の詳細な説明】
【０００１】
【発明の属する技術分野】
本発明は、ミニディスク（以下、ＭＤとする）等の光ディスクから情報の読み取りを行う装置、あるいは光ディスクに情報の記録を行う装置の技術分野に属する。
【０００２】
【従来の技術】
従来、音響情報や各種データを記録するための光ディスクとして、コンパクトディスク（以下、ＣＤと略称する）が用いられてきた。しかしながら、近年においては、ＣＤよりも小径でＣＤと同等の再生時間を有し、かつ、情報の書き込みが可能な光ディスクとして、ＭＤが普及してきている。
【０００３】
ＭＤ再生装置によってＭＤに情報を再生する際には、１．４Ｍｂｐｓの転送レートで情報の読み取りを行い、ショックプルーフメモリと呼ばれるメモリに一旦記憶する。そして、約０．３Ｍｂｐｓの転送レートで情報をショックプルーフメモリから読み取り、ＡＴＲＡＣ（Adaptive Transform Acoustic Coding）デコーダによって５倍に伸長し、Ｄ／Ａ変換を行って、情報の再生を行う。
【０００４】
また、ＭＤ記録装置によってＭＤに情報を記録する際には、記録しようとする情報について、４４．１ｋＨｚのサンプリング周波数及び１６ビット量子化でＡ／Ｄ変換を行い、ＡＴＲＡＣエンコーダによって１／５に圧縮した上で、約０．３Ｍｂｐｓの転送レートでショックプルーフメモリに一旦記憶する。そして、メモリから１．４Ｍｂｐｓの転送レートで読み出したデータを、記録するデータ量の４倍以上で回転する光ディスクに記録する。
【０００５】
このように、再生、記録の何れの場合も、ショックプルーフメモリに対するデータの書き込みよりも、ショックプルーフメモリからのデータの読み出しの方が速い転送レートで行われる。従って、再生の場合には、所定期間の読み取りを行って、ショックプルーフメモリにデータが所定量を超えて蓄積されると待機し、ショックプルーフメモリにおけるデータの蓄積量が所定量以下になった時点で次の読み取りを行うように構成されている。また、記録の場合には、光ディスクに対して所定期間の記録を行った後に、次のデータがショックプルーフメモリに所定量蓄積されるまで待機し、所定量のデータが蓄積された時点で次の記録を行うように構成されている。
【０００６】
また、このようにショックプルーフメモリに対するデータの書き込みと読み取りとの間に時間差があるため、再生中に光ディスクから読み取ったデータにエラーがある場合には、そのセクタの先頭から再読み取り（リトライ）を行うように構成されている。記録中は、光ディスクのアドレス等を常に監視しており、光ピックアップ及び磁気ヘッドが記録トラックを外れた場合等には、直ちに記録を中止して、もう一度そのクラスタの先頭から再記録（リトライ）を行うように構成されている。
【０００７】
【発明が解決しようとする課題】
しかしながら、従来のＭＤ再生装置においては、各読み取り毎にリトライを複数回行うように構成されていたため、リトライが連続するセクタにおいて行われると、ショックプルーフメモリに蓄積されるデータが空となり、必要以上の時間（該当データ相当分の時間）の音切れが生じるという問題があった。
【０００８】
また、従来のＭＤ記録装置においては、各記録毎にリトライを複数回行うように構成されていたため、リトライが連続するクラスタにおいて行われると、ショックプルーフメモリがオーバーフローしてしまい、音が部分的に記録されない、もしくは記録を中止するという問題があった。
【０００９】
本発明は、以上のような問題点に鑑み、再生時に必要以上の音切れを無くすことのできる情報再生装置、及び記録音に部分的な欠落や記録の中止を生じさせることのない情報記録装置を提供することを課題としている。
【００１０】
【課題を解決するための手段】
請求項１記載の情報再生装置は、前記課題を解決するために、情報記録媒体上から読み取った情報にエラーが有る場合には再読み取りを行う情報再生装置であって、情報記録媒体上に情報の読み取りを行う読取手段と、前記読取手段により読み取った情報におけるエラーの有無を検出するエラー検出手段と、最終的にエラーであった読み取り位置と連続した読み取り位置において前記エラー検出手段によりエラーが検出された場合には、前記読取手段により再読み取りを行わせず、次の読み取り位置にて読み取りを行わせる読取制御手段とを備えたことを特徴とする情報再生装置。
【００１１】
請求項１記載の情報再生装置によれば、読取手段によって情報記録媒体上の情報が読み取られると、エラー検出手段によって当該情報にエラーが含まれるているか否かが検出される。ここでエラーが検出されたとすると、読取制御手段は、前回読み取った情報においてエラーが含まれていた否かを判定し、前回読み取った情報にエラーが含まれていない場合には、前記読取手段による再読み取りを行わせる。しかし、前回の読み取った情報にもエラーが含まれている場合には、前回の読み取り位置と今回の読み取り位置との連続した読み取り位置においてエラーが検出されたことになるので、読取制御手段は、前記読取手段による再読み取りを行わせず、次の読み取り位置にて読み取りを行わせる。その結果、無駄な再読み取り動作が行われることがないので、再生時における必要以上の時間の音切れ現象が防止されることになる。
【００１２】
請求項２記載の情報再生装置は、前記課題を解決するために、請求項１記載の情報再生装置において、前記エラー検出手段により検出されたエラーの有無についての情報を記憶する記憶手段を更に備え、前記読取制御手段は、少なくとも前回の読み取り位置におけるエラーの有無についての情報を前記記憶手段に記憶させることを特徴とする。
【００１３】
請求項２記載の情報再生装置によれば、前記読取制御手段は、前記エラー検出手段により検出されたエラーの有無についての情報であって、少なくとも前回の読み取り位置におけるエラーの有無についての情報を記憶手段に記憶させる。従って、少なくとも２回に亘る連続した読み取り位置におけるエラーの有無を判断できることになり、上述のように無駄な再読み取り動作が的確に省略されることになる。
【００１４】
請求項３記載の情報再生装置は、前記課題を解決するために、請求項１記載の情報再生装置において、前記読取制御手段は、少なくとも前回の読み取り位置にてエラーが無かった時は、エラーが無かったことを前記記憶手段に記憶させることを特徴とする。
【００１５】
請求項３記載の情報再生装置によれば、前記読取制御手段は、少なくとも前回の読み取り位置にて、前記エラー検出手段によりエラーが検出されなかった時は、エラーが無かったことを前記記憶手段に記憶させる。従って、少なくとも２回に亘る連続した読み取り位置におけるエラーの有無を判断できることになり、上述のように無駄な再読み取り動作が的確に省略されることになる。
【００１６】
請求項４記載の情報記録装置は、前記課題を解決するために、情報記録媒体に記録を行った際に正常な記録を行うことができなかった場合には、再記録を行う情報記録装置であって、情報記録媒体に情報の記録を行う記録手段と、正常な記録を行うことができなかった時にはエラー有りの検出を行い、正常な記録を行うことができた時にはエラー無しの検出を行うエラー検出手段と、最終的エラーがあった記録位置と連続した記録位置において前記エラー検出手段によりエラーが検出された場合には、前記記録手段により再記録を行わせず、次の記録位置にて記録を行わせる記録制御手段とを備えたことを特徴とする。
【００１７】
請求項４記載の情報記録装置によれば、記録手段によって情報記録媒体上に情報が記録されると、エラー検出手段によって当該記録が正常に行われたか否かが検出される。ここで当該記録が正常に行われず、エラー有りと検出された場合には、記録制御手段は、前回の記録時において正常に記録が行われたか否かを判定し、前回の記録時においては正常な記録が行われ、エラー無しと検出されている場合には、前記記録手段による再記録を行わせる。しかし、前回の記録時においても正常な記録が行われず、エラー有りと検出されている場合には、前回の記録位置と今回の記録位置との連続した記録位置においてエラーが検出されたことになるので、記録制御手段は、前記記録手段による再記録を行わせず、次の記録位置にて記録を行わせる。その結果、無駄な再記録動作が行われることがないので、記録時における部分的な音の欠落現象や記録の中止が発生しにくなる。
【００１８】
請求項５記載の情報記録装置は、前記課題を解決するために、請求項４記載の情報記録装置において、前記エラー検出手段により検出されたエラーの有無についての情報を記憶する記憶手段を更に備え、前記記録制御手段は、少なくとも前回の記録位置におけるエラーの有無についての情報を前記記憶手段に記憶させることを特徴とする。
【００１９】
請求項５記載の情報記録装置によれば、前記記録制御手段は、前記エラー検出手段により検出されたエラーの有無についての情報であって、少なくとも前回の記録位置におけるエラーの有無についての情報を記憶手段に記憶させる。従って、少なくとも２回に亘る連続した記録位置におけるエラーの有無を判断できることになり、上述のように無駄な再記録動作が的確に省略されることになる。
【００２０】
請求項６記載の情報記録装置は、前記課題を解決するために、請求項４記載の情報記録装置において、前記記録制御手段は、少なくとも前回の記録位置にてエラーが無かった時は、エラーが無かったことを前記記憶手段に記憶させることを特徴とする。
【００２１】
請求項６記載の情報記録装置によれば、前記読取制御手段は、少なくとも前回の読み取り位置にて、前記エラー検出手段によりエラーが検出されなかった時は、エラーが無かったことを前記記憶手段に記憶させる。従って、少なくとも２回に亘る連続した記録位置におけるエラーの有無を判断できることになり、上述のように無駄な再記録動作が的確に省略されることになる。
【００２２】
【発明の実施の形態】
以下、本発明の好適な実施の形態を添付図面に基づいて説明する。本実施形態は、情報の記録だけでなく情報の再生も可能なＭＤ記録再生装置に本発明を適用したものである。
【００２３】
まず、本実施形態におけるＭＤ記録再生装置の構成を、図１に基づいて説明する。
【００２４】
［１］ＭＤ記録再生装置の概略構成
図１において、情報記録媒体としてのＭＤ２０は光ディスク本体２１と、この光ディスク本体２１を保護するためのカートリッジ２２とを有している。本実施形態では、光磁気ディスク（ＭＯ：Magneto-optical Disc）を用いた録音再生用のレコーダブルＭＤを用いる。
【００２５】
図２（Ａ）に示すように、録音再生用のレコーダブルＭＤの光ディスク本体２１は、ポリカーボネイト製の基板３４上に、誘電体膜３５、ＭＯ膜３６、誘電体膜３７、反射膜３８、及び保護膜３９が形成されたディスクであり、プリグルーブと呼ばれるガイド溝４０が形成されている。このガイド溝４０にはＦＭ変調した周波数でウォブリングが施されており、絶対番地であるアドレスが記録される。ＭＤにおいては何等かの情報が記録されている部分をインフォーメーションエリアと呼ぶが、レコーダブルＭＤは、図２（Ｂ）に示すように、ディスク情報等が記録されるリードインエリア２３と、音楽情報及び目次情報が記録可能なレコーダブルエリア２４と、リードアウトエリア２５とから、インフォーメーションエリア２６が構成されている。レコーディングエリア２４は、更に、目次情報を含むＵＴＯＣ（User Table Of Contents）が記録されるＵＴＯＣエリア２７と、音楽情報等が記録されるプログラムエリア２８とから構成されている。上述したガイド溝４０は、レコーダブルエリア２４の全体に亘って形成されているため、何も記録していないブランクのレコーダブルＭＤでも、アドレスを読み取ることができ、更にアドレスを読めばピックアップがどの位置にいるかが判るようになっている。
【００２６】
次に、以上のようなＭＤ２０が着脱可能なＭＤ記録再生装置１００には、図１に示すように、スピンドルモータ１と、図示しないアクチュエータと、光ピックアップ２と、ＲＦアンプ７とが備られている。スピンドルモータ１は、ＭＤ２０の光ディスク本体２１を回転駆動させるためのモータであり、光ディスク本体２１を一定の線速度で回転させるように制御される。光ピックアップ２は、スピンドルモータ１により回転する光ディスク本体２１にレーザビームを照射すると共に、その反射光に基づいてＲＦ（Radio Frequency）信号を出力する。光ピックアップ２は読取手段として機能し、また、後述する磁気ヘッドと共に記録手段として機能する。
【００２７】
レコーダブルＭＤにおいては、「１」、「０」のデジタル信号が、磁化の極性Ｎ・Ｓで記録されれている。このような記録面に、光ピックアップ２からレーザビームが照射されると、光ディスク本体２１の磁性膜において磁気Ｋｅｒｒ効果が生じ、戻り光の偏光面がＮ・Ｓに対応して正または逆方向にわずかに回転する。一方、光ピックアップ２内には二つの受光素子が備えられており、前記戻り光が偏光ビームスプリッタを通る時にＮとＳで当該二つの受光素子への分配量が変わる。従って、ＲＦアンプ７において当該二つの受光素子の出力の差分を求めることにより、「１」か「０」を読み取ることができる。
【００２８】
更に、ＭＤ記録再生装置１００には、アドレスデコーダ６と、ＥＦＭエンコーダ・デコーダ９と、磁気ヘッド３と、ヘッド駆動回路５が備えられている。
【００２９】
アドレスデコーダ６は、レコーダブルＭＤの再生が行われた際に、ＲＦ信号中からウォブリング周波数を検出することによりアドレスを読み取る回路である。このアドレスデコーダ６により、レコーダブルＭＤの情報未記録領域においても光ディスク本体２１におけるアドレスの読み取りが可能であり、光ピックアップ２がどの位置にあるかを知ることができる。
【００３０】
ＥＦＭエンコーダ・デコーダ９は、ＥＦＭ（EFM:Eight to Fourteen Modulation）エンコーダとＥＦＭデコーダの両方の機能を併せ持つ回路である。情報の記録時においては、ＥＦＭエンコーダとして機能し、記録しようとする信号にＥＦＭ信号による変調を行う回路である。但し、レコーダブルＭＤにおいては、ＣＤ−Ｒ等のような光変調方式の記録を行うのではなく、磁界変調方式による記録を行うため、ＥＦＭ変調された信号は、ヘッド駆動回路５に供給される。一方、情報の再生時においては、ＥＦＭデコーダとして機能し、ＲＦアンプ７によって増幅されたＲＦ信号からＥＦＭ信号を抽出し復調を行う回路である。
【００３１】
また、ＥＦＭエンコーダ・デコーダ９内には、ＡＣＩＲＣ（Advanced Cross Interleaved Reed-Solomon Code）方式の誤り訂正符号化、及び復号化を行う、ＡＣＩＲＣエンコーダ・デコーダが含まれている。ＡＣＩＲＣエンコーダは、記録データに誤り訂正符号を付加し、ＡＣＩＲＣデコーダは、光ピックアップ２によって読み取られ、ＥＦＭ復調されたデータにエラー訂正処理を施し、ＤＲＡＭコントロール回路１１に出力する。この時、ＡＣＩＲＣデコーダは、システムコントローラ１０に対して、そのデータにエラーが有るか否かの情報を出力する。つまり、再生時においては、ＥＦＭエンコーダ・デコーダ９内に設けられたＡＣＩＲＣデコーダがエラー検出手段として機能することになる。
【００３２】
ヘッド駆動回路５は、ＥＦＭ変調された記録信号に基づいて磁気ヘッド３を駆動する回路であり、この磁気ヘッド３の駆動が行われると、光ピックアップ２から照射されたレーザビームによりキュリー温度以上に熱せられたレコーダブルＭＤの磁性膜の位置に、ＥＦＭ変調された記録信号に基づく極性での磁化が行われることになる。つまり、光ピックアップ２と磁気ヘッド３は記録手段として機能する。
【００３３】
このように、ＭＤ記録再生装置１００においては、レコーダブルＭＤに対して磁界変調方式による情報の書き込みが行われる。光変調方式においては、レーザー光が当たり始めたピットの頭の部分が小さく、後半の部分が大きくなる、いわゆる涙形のピットになり易く、信号を読み出す時のジッターの原因になり易い。これに対し、磁界変調方式においては、半導体レーザーは一定のパワーで照射し続けるだけであるため、ＮとＳが連続的に並ぶ対称形になり、ディスクの傾きに強いという利点を有している。
【００３４】
また、ＭＤ記録再生装置１００には、ＤＲＡＭ１２と、ＤＲＡＭコントロール回路１１と、Ａ／Ｄコンバータ１５と、データ圧縮エンコーダ１３と、データ圧縮デコーダ１４と、Ｄ／Ａコンバータ１６が備えられている。
【００３５】
ＤＲＡＭ１２は、情報の再生時及び記録時において、１Ｍｂｉｔ程度の情報データを一旦貯える記憶手段である。このＤＲＡＭ１２は、振動等による音飛び等の防止（ショックプルーフ）を行うために設けられたもので、ショックプルーフメモリと呼ばれる。
【００３６】
ＤＲＡＭコントロール回路１１は、ＤＲＡＭ１２に対して所定の制御信号を出力することにより、ＤＲＡＭ１２に対するデータの入出力を制御するための回路である。再生時においては、ＥＦＭエンコーダ・デコーダ９から復調されたデータを入力し、ＤＲＡＭ１２に書き込みを行い、必要に応じてデータ圧縮エンコーダ（ＡＴＲＡＣエンコーダ）１３のデータを出力する。また、記録時においては、データ圧縮デコーダ（ＡＴＲＡＣデコーダ）１４からのデータをＤＲＡＭ１２に書き込み必要に応じて、ＥＦＭエンコーダ・デコーダ９に出力する。ＤＲＡＭコントロール回路１１の動作は、システムコントローラ１０により制御されており、システムコントローラ１０は、光ディスク本体２１からのデータの読み取りタイミング及び光ディスク本体２１に対するデータの書き込みタイミングに合わせてＤＲＡＭコントロール回路１１の動作を制御している。また、システムコントローラ１０は、ＤＲＡＭコントロール回路１１を介してＤＲＡＭ１２の空き容量及びデータ量を監視しており、再生時にはこの空き容量が無くなった時には、光ディスク２１からのデータの読み取りを一旦中止するように構成されている。そして、ＤＲＡＭ１２の記録可能な空き容量が所定量以上になった時に再度データの読み取りを再開するように構成されている。記録時には、データ量が所定量以上ある場合には光ディスク２１への書き込みを行い、所定量以下の場合には光ディスク２１への書き込みは休止する。
【００３７】
Ａ／Ｄコンバータ１５は、情報記録時に外部から入力されるアナログ情報信号をデジタル情報信号に変換するための回路である。ＭＤ記録再生装置１００においては、４４．１ｋＨｚのサンプリング周波数を用いている。
【００３８】
データ圧縮エンコーダ１３は、ＡＴＲＡＣ（Adaptive Transform Acoustic Coding）方式によりデータの圧縮を行う回路である。ＡＴＲＡＣ方式は、データ量を約１／５に減らしているが、単純に間引いている訳ではなく、変換されたデジタル情報信号のデータ量を、人間の耳の最小可聴限特性及びマスキング効果を利用して圧縮する方式である。
【００３９】
データ圧縮デコーダ１４は、情報再生時に光ディスク本体２１から読み出されＥＦＭ復調された信号のデータを、ＡＴＲＡＣ方式による圧縮と逆の手順にて伸張を行いデジタルオーディオ信号を出力するための回路である。
【００４０】
Ｄ／Ａコンバータ１６は、復元されたデジタルオーディオ信号をアナログ信号に変換するための回路である。
【００４１】
また、ＭＤ記録再生装置１００は、キャリッジ４と、スピンドルモータ１と、サーボコントロール回路８と、システムコントローラ１０とを備えている。
【００４２】
キャリッジ４は、光ピックアップ２及び磁気ヘッド３を光ディスク本体２１の半径方向に移動させる手段である。なお、磁気ヘッド３は、光ピックアップ２にアーム等を介して取り付けられ、磁気ヘッド３と光ピックアップ２で光ディスク本体２１を挟んで一緒に移動するように構成されている。以上のような移動が行われることにより、光ピックアップ２と磁気ヘッド３を光ディスク本体２１における所望のアドレス領域との対向位置に配置させることができ、当該領域に対するデータの読み取りまたは書き込みを確実に行うことが可能になる。
【００４３】
スピンドルモータ１は、光ディスク本体２１を一定の線速度で回転させるためのモータであり、サーボコントロール回路８により、その駆動が制御される。
【００４４】
サーボコントロール回路８は、前記キャリッジ４及びスピンドルモータ１、更には図示しないアクチュエータをサーボ制御するため回路である。サーボコントロール回路８は、ＲＦアンプ７からのＲＦ信号を受けて、キャリッジ４及び図示しないアクチュエータを制御するための制御信号を抽出して送り、レーザビームを光ディスク本体２１の記録トラック軸線上から外れないようにトラッキングサーボ制御を行う。またサーボコントロール回路８は、前記ＲＦ信号に基づいて、図示しないアクチュエータを制御するための制御信号を抽出して送り、レーザビームが光ディスク本体２１に対して合焦位置で照射されるように、フォーカスサーボ制御を行う。またサーボコントロール回路８は、ＥＦＭエンコーダ・デコーダ９からのＥＦＭ信号中に含まれるクロック信号に基づき、スピンドルモータ１を一定の線速度で回転させるための制御信号を送ることにより、スピンドルサーボ制御を行う。
【００４５】
システムコントローラ１０は、本実施形態のＭＤ記録再生装置１００の各部を制御するため手段である。特に、システムコントローラ１０は、記録時においてはエラー検出手段及び記録制御手段として機能し、また、再生時においては、読取制御手段として機能する。システムコントローラ１０に対する外部からの操作指令は、キー入力部１８により行われる。システムコントローラ１０は、キー入力に応じてキー入力部１８から出力される操作命令に基づきＭＤ記録再生装置１００の各部に制御信号を送り、高速サーチ動作や、ランダムアクセスプレー動作等を行わせることができる。そして、このようなＭＤ記録再生装置１００の演奏状態等は、表示部１７にて表示される。
【００４６】
［２］ＭＤ記録再生装置の記録再生方式
次に、図３を参照してＭＤのデータ構造について説明する。レコーダブルＭＤにおいては、ＣＤ−ＲＯＭの規格を採用しており、図３（Ｂ）に示すように、９８フレームで１セクタが構成されている。また、ＭＤにおいては、圧縮データの最小単位として、セクタの下にサウンドグループがあり、図３（Ｃ）に示すように、１セクタは５．５サウンドグループ（２セクタで１１サウンドグループ）から構成されている。そして、図３（Ａ）に示すように、３２セクタ＋３セクタのリンク領域＋サブコード１セクタの合計３６セクタから１クラスタが構成されている。この１クラスタが記録における最小単位となる。また、読み取りには１セクタ毎に行われる。
【００４７】
ＭＤ記録再生装置１００においては、光ディスク本体２１に記録された情報は、図４に示すように、１．４Ｍｂｐｓの転送レートで読み取られ、ＤＲＡＭ１２に記憶される。但し、前記情報は、記録時にデータ圧縮デコーダ（ＡＴＲＡＣデコーダ）１４によって１／５に圧縮されているため、１．４Ｍｂｐｓの転送レートで読み取った情報のうち、１／５に相当する約０．３Ｍｂｐｓの情報があれば、音楽信号に戻して再生することができる。そこで、ＤＲＡＭ１２からの情報の読み取りは、０．３Ｍｂｐｓの転送レートで行っている。このように、ＭＤ記録再生装置１００においては、ＤＲＡＭ１２に対する情報の書き込みと読み取りの転送レートに差があるため、光ディスク本体２１から読み取った情報を一度ＤＲＡＭ１２に溜め込み、それを順次取り出して再生することができる。例えば、ＤＲＡＭ１２の容量が１Ｍｂｉｔの場合には、再生時間にして約３秒分の情報のメモリが可能である。従って、振動で光ピックアップ２がオントラックの位置から外れても、溜め込んだ信号を再生している間に光ピックアップ２がオントラックの位置に戻すことができれば、音の途切れを防止することができる。このようにしてショックプルーフ機構が構成されている。
【００４８】
しかし、以上のようなＤＲＡＭ１２に対する情報の書き込みと読み取りの転送レートに差が存在すると、光ディスク本体２１から連続して情報を読んでいたのでは、ＤＲＡＭ１２がオーバーフローしてしまう。例えば、ＤＲＡＭ１２の容量が１Ｍｂｉｔであるとすると、０．９秒でＤＲＡＭ１２がメモリフルの状態となる。
【００４９】
そこで、ＭＤ記録再生装置１００においては、図５に示すように、ある時間に情報の読み取りを行ったら、その後の所定期間は待機状態として、ＤＲＡＭ１２に蓄積する情報量をコントロールしている。情報の読み取り量や待機間隔は規格化されておらず、メモリーの容量等に応じて適宜設計可能である。以上のように、ＭＤ記録再生装置１００においては、間欠読み取りを行っている。なお、図５に示すように、待機期間においてショックによるトラック外れが生じた場合には、直ちに所望のトラックをアドレスを用いてサーチし、再び読み取りを行う。
【００５０】
また、読み取りの際に、前記ＡＣＩＲＣデコーダによりエラーが検出された場合には、所定の場合を除き、再読み取り（リトライ）を所定回数行う。詳しくは後述する。
【００５１】
また、記録時においても再生時と同様なことが言える。つまり、記録しようとする情報について、４４．１ｋＨｚのサンプリング周波数及び１６ビット量子化でＡ／Ｄ変換を行い、ＡＴＲＡＣエンコーダ１３により１／５に圧縮し、約３００ｋｂｐｓの転送レートでショックプルーフメモリと呼ばれるメモリに一旦記憶する。そして、メモリから１．４Ｍｂｐｓの転送レートで読み出したデータを、記録するデータ量の４倍以上で回転するディスクに記録を行う。
【００５２】
従って、記録時においても、所定期間の記録を行った後に、次のデータがＤＲＡＭ１２に蓄積されるまで待機し、所定量のデータが蓄積された時点で次の記録を行う、というような間欠記録を行っている。
【００５３】
また、振動がない正常時には、クラスタ単位により一筆書き状態で記録を行っている。記録中は、ディスクのアドレス等を常に監視しており、光ピックアップ２及び磁気ヘッド３が記録トラックを外れた場合等であって、所定の条件を満たす場合には、直ちに記録を中止して、もう一度そのクラスタの先頭から再記録（リトライ）を行う。従って、ＤＲＡＭ１２には、最低でも１クラスタ以上のデータが残るように制御されている。
【００５４】
ＭＤは、図２（Ａ）、（Ｂ）に示すように、ディスク最内周にリードインエリアが設けられており、このリードインエリアには、ピットによってＴＯＣ（Table Of Contents）が予め記録されている。
【００５５】
レコーダブルＭＤのＴＯＣには、記録時に必要なレーザーのパワー、記録可能エリア、ＵＴＯＣ（User Table Of Contents）のアドレス等の情報が含まれている。ＵＴＯＣは、図２（Ｂ）に示すように、レコーダブルエリアに設けら設けられたＵＴＯＣ領域２７に記録され、前記目次情報を含むものである。
【００５６】
［３］読取制御処理
次に、本実施形態のＭＤ記録再生装置１００における読取制御処理を図６及び図７に基づいて説明する。
【００５７】
光ディスク２１に記録されたデータを再生する際には、まず、光ピックアップ２によってアドレスＮのデータを読み取り、読み取ったデータをＲＦアンプ７によって増幅した後ディジタル信号に波形整形し、ＥＦＭエンコーダ・デコーダ部９に出力する（図６；ステップＳ１）。
【００５８】
次に、ＥＦＭエンコーダ・デコーダ部９においては、ＥＦＭデコーダによってデータのＥＦＭ復調が行われ、更にＡＣＩＲＣデコーダによって、エラー訂正処理を施し、データを得る。図７に示す例では、アドレスＳ０に記録されたデータＤ（Ｓ０）を得る。なお、図７は、このような読み取り動作を示すタイミングチャートである。
【００５９】
この時、ＡＣＩＲＣデコーダは、データＤ（Ｓ０）にエラー（ＥＲＲ）が有るか否かを検出し、このエラー有無についての情報をシステムコントローラ１０に出力する（図６；ステップＳ２）。
【００６０】
システムコントローラ１０は、データＤ（Ｓ０）にエラーが無い場合には（図６；ステップＳ２：ＮＯ）、エラー情報フラグＥ（Ｎ）を０にリセットする（図６；ステップＳ３）。図７に示す例では、アドレスＳ０に対するエラー情報フラグＥ（Ｓ０）が０にリセットされる。
【００６１】
なお、本実施形態においては、このエラー情報フラグＥ（Ｎ）を、ＤＲＡＭ１２の記録領域に記憶する例について説明するが、システムコントローラ１０内のメモリに設けても良い。また、フローチャートの説明及びフローチャートにおいて、フラグＥ（Ｎ）と記載した時の括弧内のＮはアドレスのＮに対応している。
【００６２】
次に、システムコントローラ１０は、ＤＲＡＭコントロール回路１１を介して、前記データと、エラー情報フラグＥ（Ｎ）の内容とを、ＤＲＡＭ１２内のアドレスｎに書き込む（図６；ステップＳ４）。図７に示す例では、前記データＤ（Ｓ０）と、エラー情報フラグＥ（Ｓ０）の内容である０が、ＤＲＡＭ１２内のアドレスｎ０に書き込まれることになる。
ＤＲＡＭ１２内のアドレスｎ０に書き込まれたデータは、上述した所定の転送レートで読み出され、データ圧縮エンコーダ１３によって５倍に伸長されてＡ／Ｄコンバータ１５によってアナログ信号として再生される。
【００６３】
この時、システムコントローラ１０は、ＤＲＡＭ１２におけるデータ残量を監視しており、データ残量が所定量よりも多くなった場合、即ちＤＲＡＭ１２における空き記録容量が所定量よりも少なくなった場合には、データの読み取りを一旦中止する。
【００６４】
次に、システムコントローラ１０は、全てのデータについての再生が終了したか否かを判定し（ステップＳ５）、光ディスク２１のアドレスＮをインクリメントし（ステップＳ６）、ＤＲＡＭ１２のアドレスｎをインクリメントして（ステップＳ７）、次のアドレスの読み取りを行う（ステップＳ１）。図７に示す例では、次に読み出されるアドレスはＳ１、ＤＲＡＭ１２のアドレスはｎ１となる。
【００６５】
以下、先に述べた処理が繰り返され、図７に示す例では、ＤＲＡＭ１２のアドレスｎ１に、Ｄ（Ｓ１）と、エラー情報フラグＥ（Ｓ１）の内容である０の記録を行う。そして、再び先に述べた処理が繰り返され、光ディスク２１のアドレスはＳ２、ＤＲＡＭ１２のアドレスはｎ２となる。
【００６６】
次に、図７に示す時刻ｔ２におけるアドレスＳ２の読み出しが行われると（図６；ステップＳ１）、その読み取ったデータにエラーが有る場合には（ステップＳ２：ＹＥＳ）、エラー情報フラグＥ（Ｎ）を１にセットする（図６；ステップＳ８）。図７に示す例では、エラー情報フラグＥ（Ｓ２）が１にセットされる。
【００６７】
次に、システムコントローラ１０は、ＤＲＡＭ１２に記憶させておいた、一つ前のアドレス、即ちアドレスＮ−１におけるエラー情報フラグＥ（Ｎ−１）の内容が０であるか、あるいは１であるかを判定する（図６；ステップＳ９）。
【００６８】
図７の場合には、一つ前のアドレスであるＳ１に対するエラー情報フラグＥ（Ｓ１）は０であるから、エラー無しと判定され（図６；ステップＳ９：ＮＯ）、次にリトライ動作に移る。
【００６９】
図７においては、時刻ｔ４、ｔ６、ｔ８の３回に亘ってリトライ（再読み取り）動作が行われたことを示している。なお、このリトライの回数は、３回に限定されるのではなく、適宜変更することができる。
【００７０】
このリトライ中にエラーが無いと判定されれば（図６；ステップＳ１０：ＮＯ〜ステップＳ１〜ステップＳ２：ＮＯ）、先の場合と同様に、エラーフラグＥ（Ｎ）を０にリセットして、データとエラー情報をＤＲＡＭ１２に書き込む（ステップＳ３〜ステップＳ４）。しかし、３回のリトライにおいて、何れの場合もデータにエラーがある時は（図６；ステップＳ１０：ＹＥＳ）、データＤ（Ｓ２）と、１にセットしたエラーフラグＥ（Ｓ２）とをＤＲＡＭ１２のアドレスｎ２に書き込む（図６；ステップＳ４）。
【００７１】
なお、この時のデータＤ（Ｓ２）にはエラーが含まれているので、その内容をゼロとして書き込むようにしても良いし、また、エラーを含んだ状態のまま書き込んで、再生時にミュートをかけるようにしても良い。
【００７２】
そして、光ディスクのアドレスのインクリメントと（ステップＳ６）、ＤＲＡＭ１２のアドレスのインクリメントを行うことにより（ステップＳ７）、光ディスクのアドレスはＳ３、ＤＲＡＭ１２のアドレスはｎ３となり、図７に示す時刻ｔ９において、アドレスＳ３の読み出しが行われる（図６；ステップＳ１）。この時、アドレスＳ３に記録されたデータＤ（Ｓ３）にもエラーが有るとすると（ステップＳ２：ＹＥＳ）、エラー情報フラグＥ（Ｎ＝Ｓ３）を１にセットする（ステップＳ８）。そして、システムコントローラ１０は、ＤＲＡＭ１２に記憶させておいた、一つ前のアドレス、即ちアドレスＳ２におけるエラー情報フラグＥ（Ｓ２）の内容が０であるか、あるいは１であるかを判定する（ステップＳ９）。
【００７３】
その結果、図７の場合には、一つ前のアドレスであるＳ２に対するエラー情報フラグＥ（Ｓ２）は１であることが判る（ステップＳ９：ＹＥＳ）。このことから、現在のアドレスであるＳ３におけるエラーは、アドレスＳ２とアドレスＳ３の連続した位置において存在するエラーであることが判るので、リトライ動作を行うことなく、そのエラーを含むデータとエラー情報をＤＲＡＭ１２に書き込み、次のアドレスの読み取りに移る。この場合には、リトライ動作を行うことなく、ＤＲＡＭ１２のアドレスｎ３にデータＤ（Ｓ３）を書き込む（ステップＳ４）。
【００７４】
そして、次のアドレスであるＳ４についての読み取りが行われるが（ステップＳ１）、図７に示す例では、このアドレスＳ４に記録されたデータＤ（Ｓ４）についてもエラーがあるので（ステップＳ２：ＹＥＳ）、エラー情報フラグＥ（Ｓ４）に１をセットし（ステップＳ８）、前回のアドレスであるＳ３のエラー情報フラグＥ（Ｓ３）の内容が１か否かを判定する（ステップＳ９）。その結果、エラー情報フラグＥ（Ｓ３）の内容は１なので（ステップＳ９：ＹＥＳ）、アドレスＳ２の場合と同様に、リトライ動作を行うことなく、そのエラーを含むデータＤ（Ｓ４）とエラー情報フラグＥ（Ｓ４）をＤＲＡＭ１２に書き込み、次のアドレスの読み取りに移る。
【００７５】
次に、アドレスＳ５についての読み取りを行うと（ステップＳ１）、このアドレスＳ５に記録されたデータＤ（Ｓ５）にはエラーが無いので（ステップＳ２：ＮＯ）、エラー情報フラグＥ（Ｓ５）に０をセットし、データＤ（Ｓ５）とエラー情報フラグＥ（Ｓ５）をＤＲＡＭ１２に書き込み、次のアドレスの読み取りに移る。そして、全ての音の読み取りが終了した場合には（ステップＤ５：ＹＥＳ）、読取再生制御処理を終了する。
【００７６】
以上のように本実施形態によれば、連続した記録位置においてエラーが続いて生じた場合には、リトライ動作を行うことなく、データとエラー情報フラグを記憶させ、次のアドレスの読み取りを行う。このような処理を行ったとしても、連続した位置におけるエラーは、その原因を同じにするものである可能性が高く、たとえリトライ動作を行ったとしても、エラーが解消されない可能性が高い。従って、本実施形態によれば、無駄なリトライ動作を省くことにより、ＤＲＡＭ１２のデータ残量が空になり、必要以上に音切れの現象が生じることを防止することができる。
【００７７】
これに対し、従来の装置においは、図７に示すように連続した位置においてもリトライ動作が行われていたので、図７に二点鎖線で示すようにＤＲＡＭ１２のデータ残量が減少して空になり、必要以上に音切れの現象を生じていた。
【００７８】
従って、本実施形態の構成によれば、音切れの防止という従来に比べて極めて優れた効果を発揮することができる。
【００７９】
［４］記録制御処理
次に、本実施形態のＭＤ記録再生装置１００における記録制御処理を図８及び図９に基づいて説明する。
【００８０】
光ディスク２１にデータを記録する際には、まず、システムコントローラ１０は、光ピックアップ２及び磁気ヘッド３をアドレスＮの位置に移動させ、次にＤＲＡＭ１２のアドレスｎに書き込まれていたデータを読み出し、前記アドレスＮに書き込む（図８；ステップＳ２０）。図９に示す例では、ＤＲＡＭ１２のアドレスｎ０に書き込まれていたデータＤ（Ｃ０）が、光ディスク２１のアドレスＣ０に書き込まれる。
【００８１】
次に、システムコントローラ１０は、前記データの書き込みが正常に行われたか否かを判定する（ステップＳ２１）。この判定方法は、ＲＦ信号に基づいてディフェクトを検出する方法でも良いし、一旦書き込んだデータとＤＲＡＭ１２内のデータとの一致をテストする方法でも良い。
【００８２】
判定の結果、書き込みが正常に行われた場合には（ステップＳ２１：ＹＥＳ）、エラー情報フラグＥＲ（Ｎ）をゼロにリセットする（ステップＳ２２）。そして、システムコントローラ１０は、全てのデータについての書き込みが終了したか否かを判定し（ステップＳ２３）、終了していない場合には（ステップＳ２３：ＮＯ）、光ディスク２１のアドレスＮをインクリメントし（ステップＳ２４）、ＤＲＡＭ１２のアドレスｎをインクリメントして（ステップＳ２５）、次のアドレス位置での書き込みに備える。図９に示す例では、光ディスク２１のアドレスはＣ１になり、ＤＲＡＭ１２のアドレスはｎ１になる。
【００８３】
なお、システムコントローラ１０は、ＤＲＡＭ１２におけるデータ残量を監視しており、前記書き込み処理によってＤＲＡＭ１２内のデータが消費されたため、データ残量が所定量よりも多くなるまで次の書き込み処理を行わずに待機する。例えば、１クラスタ分以上のデータがＤＲＡＭ１２に蓄積されるまで待機する。
【００８４】
図９の例では、時刻ｔ２において１クラスタ分以上のデータがＤＲＡＭ１２に蓄積されるので、システムコントローラ１０は、ＤＲＡＭ１２の次のアドレスｎ（＝ｎ＋１）からデータを読み取り、次のアドレスＮ（＝Ｎ＋１）に書き込む（ステップＳ２０）。図９の例では、ＤＲＡＭ１２のアドレスｎ１に書き込まれていたデータＤ（Ｃ１）が光ディスク２１のアドレスＣ１に書き込まれることになる。
【００８５】
その結果、正常な書き込みが行われたとすると（ステップＳ２１：ＹＥＳ）、エラー情報フラグＥＲ（Ｎ＝Ｃ１）を０にリセットして（ステップＳ２２）、録音終了か否かを確認した上で（ステップＳ２３）、光ディスク２１のアドレスＮとＤＲＡＭ１２のアドレスをインクリメントし（ステップＳ２４，２５）、再びＤＲＡＭ１２に１クラスタ分以上のデータが蓄積されるまで待機する。図９の例では、光ディスク２１のアドレスはＣ２になり、ＤＲＡＭ１２のアドレスはｎ２になる。
【００８６】
その後、１クラスタ分以上のデータが蓄積されると、アドレスＣ２に対するデータの書き込みが行われるが（ステップＳ２０）、この時、正常な書き込みが行われなかったとすると（ステップＳ２１：ＮＯ）、システムコントローラ１０は、エラー情報フラグＥＲ（Ｎ＝Ｃ２）を１にセットして（ステップＳ２６）、前回のアドレスＮ−１におけるエラー情報フラグＥＲ（Ｎ−１＝Ｃ１）が１であるか否かを判定する（ステップＳ２７）。図９に示す例では、エラー情報フラグＥＲ（Ｃ１）は０なので（ステップＳ２７：ＮＯ）、ここで所定回数のリトライ動作（再書き込み動作）に移る。図９に示す例では、時刻ｔ６、ｔ８、ｔ１０の３回に亘ってリトライ動作を行う。そして、この所定回数のリトライ動作を行っても正常な書き込みができない時は（ステップＳ２９：ＹＥＳ）、そのアドレスへの書き込みを断念して、アドレスをインクリメントし（ステップＳ２８）、次のアドレスへの書き込みを行う（ステップＳ２０）。図９の例では時刻ｔ１２にアドレスＣ３に対する書き込みが行われる。
【００８７】
しかし、アドレスＣ３においても、正常な書き込みができない場合には（ステップＳ２１：ＮＯ）、エラー情報フラグＥＲ（Ｎ＝Ｃ３）を１にセットして（ステップＳ２６）、前回のアドレスにおけるエラー情報フラグＥＲ（Ｎ＝Ｃ２）が１であるか否かを判定する（ステップＳ２７）。
【００８８】
その結果、図９の場合には、一つ前のアドレスであるＣ２に対するエラー情報フラグＥＲ（Ｃ２）は１であることが判る（ステップＳ２７：ＹＥＳ）。このことから、現在のアドレスであるＣ３におけるエラーは、アドレスＣ２とアドレスＣ３の連続した位置において存在するエラーであることが判るので、リトライ動作を行うことなく、アドレスＣ３における書き込みを断念し、次のアドレスの読み取りに移るためアドレスをインクリメントする（ステップＳ２８）。
【００８９】
図９の場合には、時刻ｔ１４に次のアドレスであるＣ４についての書き込みが行われるが’（ステップＳ２０）、このアドレスＣ４においても正常な書き込みができないので（ステップＳ２１：ＮＯ）、エラー情報フラグＥＲ（Ｃ４）を１をセットし（ステップＳ２６）、前回のアドレスであるＣ３のエラー情報フラグＥＲ（Ｃ３）の内容が１か否かを判定する（ステップＳ２７）。その結果、エラー情報フラグＥＲ（Ｃ３）の内容は１なので（ステップＳ２７：ＹＥＳ）、アドレスＣ３の場合と同様に、リトライ動作を行うことなく、アドレスＣ４に対する書き込みを断念し、次のアドレスの読み取りに移るため、アドレスをインクリメントする（ステップＳ２８）。
【００９０】
次に、時刻ｔ１６においてアドレスＣ５に対して書き込みを行うと（ステップＳ２０）、このアドレスＣ５においてはデータＤ（Ｃ２）が正常に書き込まれたので（ステップＳ２１：ＹＥＳ）、エラー情報フラグＥＲ（Ｃ５）に０をリセットし、録音終了か否かを確認した上で（ステップＳ２３）、次のアドレスへの書き込みに移る（ステップＳ２４〜Ｓ２０）。そして、全ての音の録音が終了した場合には（ステップＤ２３：ＹＥＳ）、記録制御処理を終了する。
【００９１】
以上のように本実施形態によれば、連続した記録位置において正常な書き込みを行うことができない場合には、リトライ動作を行うことなく、エラー情報フラグをセットして、次のアドレスへの書き込みを行う。このような処理を行ったとしても、連続した位置におけるエラーは、その原因を同じにするものである可能性が高く、たとえリトライ動作を行ったとしても、正常な書き込みが出来ない可能性が高い。従って、本実施形態によれば、無駄なリトライ動作を省くことにより、ＤＲＡＭ１２がオーバーフローして音が部分的に記録されない現象や記録の中止を防止することができる。
【００９２】
これに対し、従来の装置においは、連続した位置において正常な書き込みが行われない場合にもリトライ動作を行っていたので、図９に時刻ｔ３からｔ１６に示す期間よりも更に長い期間に亘ってＤＲＡＭ１２に対してデータが蓄積されていき、遂にはＤＲＡＭ１２のオーバーフローを発生させてしまい、一部の音を記録することが出来なかった。
【００９３】
従って、本実施形態の構成によれば、ＤＲＡＭのオーバーフローによる録音の失敗を防ぐという従来に比べて極めて優れた効果を発揮することができる。
【００９４】
また、上述した実施形態においては、情報記録媒体の一例としてＭＤを用いた例について説明したが、本発明はこれに限られるものではなく、情報記録媒体として、ＣＤ、追記可能なＣＤ−Ｒ、あるいは書き換えが可能なＣＤ−ＲＷを用い、ショックプルーフに類するメモリを備えた装置にも適用可能である。
【００９５】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００９６】
【発明の効果】
請求項１記載の情報再生装置によれば、連続した読み取り位置においてエラーが検出された場合には、再読み取り動作を行ず、次の読み取り位置にて読み取りを行うようにしたので、無駄な再読み取り動作を省き、再生時における音切れ現象を確実に防止することができる。
【００９７】
請求項２記載の情報再生装置によれば、少なくとも前回の読み取り位置におけるエラーの有無についての情報を記憶させるようにしたので、少なくとも２回に亘る連続した読み取り位置におけるエラーの有無を判断できることになり、上述のように無駄な再読み取り動作を的確に省略することができる。
【００９８】
請求項３記載の情報再生装置によれば、少なくとも前回の読み取り位置にてエラーが無かった時は、エラーが無かったこと記憶させるようにしたので、少なくとも２回に亘る連続した読み取り位置におけるエラーの有無を判断できることになり、上述のように無駄な再読み取り動作を的確に省略することができる。
【００９９】
請求項４記載の情報記録装置によれば、連続した記録位置においてエラーが検出された場合には、再記録を行ず、次の記録位置にて記録を行うようにしたので、無駄な再記録動作を省き、記録時における部分的な音の欠落現象を確実に防止することができる。
【０１００】
請求項５記載の情報記録装置によれば、少なくとも前回の記録位置におけるエラーの有無についての情報を記憶させるようにしたので、少なくとも２回に亘る連続した記録位置におけるエラーの有無を判断できることになり、上述のように無駄な再記録動作を的確に省略することができる。
【０１０１】
請求項６記載の情報記録装置によれば、少なくとも前回の記録位置にてエラーが無かった時は、エラーが無かったことを記憶させるようしたので、少なくとも２回に亘る連続した記録位置におけるエラーの有無を判断できることになり、上述のように無駄な再記録動作を的確に省略することができる。
【図面の簡単な説明】
【図１】本発明の一実施形態におけるＭＤ記録再生装置の概略構成を示すブロック図である。
【図２】図１のＭＤ記録再生装置に用いられるＭＤの構造及び情報記録領域の構成を示す図であり、（Ａ）は記録可能なレコーダブルＭＤの構造を示す図、（Ｂ）は記録可能なレコーダブルＭＤの情報記録領域の構成を示す図である。
【図３】図１のＭＤ記録再生装置に用いられるＭＤのデータ構造を示す図である。
【図４】図１のＭＤ記録再生装置におけるショックプルーフの原理を説明するための図である。
【図５】図１のＭＤ記録再生装置における間欠読み取り動作を説明するための図である。
【図６】図１のＭＤ記録再生装置における読取制御処理の一例を示すフローチャートである。
【図７】図１のＭＤ記録再生装置における読取制御処理の一例を示すタイミングチャートである。
【図８】図１のＭＤ記録再生装置における記録制御処理の一例を示すフローチャートである。
【図９】図１のＭＤ記録再生装置における記録制御処理の一例を示すタイミングチャートである。
【符号の説明】
１  スピンドルモータ
２  光ピックアップ
３  磁気ヘッド
４  キャリッジ
５  磁気ヘッド駆動回路
６  アドレスデコーダ
７  ＲＦアンプ
８  サーボコントロール回路
９  ＥＦＭエンコーダ・デコーダ
１０  システム小トンローラ
１１  ＤＲＡＭコントロール回路
１２  ＤＲＡＭ
１３  データ圧縮エンコーダ
１４  データ圧縮デコーダ
１５  Ａ／Ｄコンバータ
１６  Ｄ／Ａコンバータ
１７  表示部
１８  キー入力部
２０  ＭＤ
２１  光ディスク
１００  ＭＤ記録再生装置
【図１】
0003749039.tif 000002
【図２】
0003749039.tif 000003
【図３】
0003749039.tif 000004
【図４】
0003749039.tif 000005
【図５】
0003749039.tif 000006
【図６】
0003749039.tif 000007
【図７】
0003749039.tif 000008
【図８】
0003749039.tif 000009
【図９】
0003749039.tif 000010